(57)【要約】【課題】全光クロスコネクトにより冗長化された光伝送路の現用系/予備系切替えにおいて、無瞬断切替えを実現する。【解決手段】全光ネットワークにおけるデータトラフィックの受信端である光クロスコネクト１は、データトラフィックの送信元の電気ノード６に対し、制御ネットワーク１００を介して送信停止要求を送信し、送信停止要求を制御ネットワーク１００を介して受信した送信元の電気ノード６がデータトラフィックの送信を停止するとともに、光クロスコネクト１に対し制御ネットワーク１００を介して送信停止応答を送信し光クロスコネクト装置１が、制御ネットワーク１００を介した送信停止応答の受信に基づき、全光ネットワークにおける現用系と予備系との間の伝送路切替えを行う。【選択図】        図１
2007251256.tif 000002
【特許請求の範囲】
【請求項１】
現用系と予備系の切替えが可能なように冗長接続されるとともに光信号によるクロスコネクト機能を有する複数の光クロスコネクト装置により構成される全光ネットワークと、この全光ネットワークの外側で前記光クロスコネクト装置に光伝送路により接続されて電気終端機能を有する複数の電気ノードとを備え、これら光クロスコネクト装置および電気ノードが制御用リンクを介して制御ネットワークと接続されている光伝送システムにおいて、
前記全光ネットワークにおけるデータトラフィックの受信端である光クロスコネクト装置は、前記データトラフィックの送信元の電気ノードに対し、前記制御ネットワークを介して送信停止要求を送信し、
前記送信停止要求を前記制御ネットワークを介して受信した前記送信元の電気ノードがデータトラフィックの送信を停止するとともに、前記受信端である光クロスコネクト装置に対し前記制御ネットワークを介して送信停止応答を送信し、
前記受信端である光クロスコネクト装置が、前記制御ネットワークを介した送信停止応答の受信に基づき、前記全光ネットワークにおける現用系と予備系との間の伝送路切替えを行うようにしたことを特徴とする光伝送システムの伝送路切替方法。
【請求項２】
前記受信端である光クロスコネクト装置は、現用系と予備系との間の伝送路切替え終了後に、前記送信元の電気ノードに対し、前記制御ネットワークを介して送信再開要求を送信し、
前記送信再開要求を前記制御ネットワークを介して受信した前記送信元の電気ノードがデータトラフィックの送信を再開するようにしたことを特徴とする請求項１に記載の光伝送システムの伝送路切替方法。
【請求項３】
前記受信端である光クロスコネクト装置は、伝送路切替えにかかる所要時間を示す伝送路切替所要時間を含む前記送信停止要求を送信し、
前記送信元の電気ノードは、データトラフィックの送信を停止できる最大時間を計算し、計算した最大時間を前記送信停止要求に含まれる伝送路切替所要時間と比較し、計算した最大時間が伝送路切替所要時間よりも小さい場合は、前記送信停止応答に伝送路切替えを中止にさせる否定応答を含ませて送信することを特徴とする請求項１または２に記載の光伝送システムの伝送路切替方法。
【請求項４】
光信号によるクロスコネクト機能を有する複数の光クロスコネクト装置および電気終端機能を有する複数の第１の電気ノードにより構成され、前記複数の光クロスコネクト装置および第１の電気ノードが現用系と予備系の切替えが可能なように冗長接続される全光ネットワークと、この全光ネットワークの外側で前記光クロスコネクト装置に光伝送路により接続されて電気終端機能を有する複数の第２の電気ノードとを備え、これら光クロスコネクト装置および第１および第２の電気ノードが制御用リンクを介して制御ネットワークと接続されている光伝送システムにおいて、
前記全光ネットワークにおけるデータトラフィックの受信端である光クロスコネクト装置は、前記現用系と予備系のうちの選択されている側の隣接する第１の電気ノードに対し、前記制御ネットワークを介して送信停止要求を送信し、
前記送信停止要求を前記制御ネットワークを介して受信した前記第１の電気ノードは、光伝送路を介してデータトラフィックの送信元の電気ノードに対し、送信停止指示を送信し、その後前記受信端である光クロスコネクト装置に対し前記制御ネットワークを介して送信停止応答を送信し、
前記送信元の電気ノードは、前記光伝送路を介して送信停止指示を受信すると、データトラフィックの送信を停止し、
前記受信端である光クロスコネクト装置が、前記制御ネットワークを介した送信停止応答の受信に基づき、前記全光ネットワークにおける現用系と予備系との間の伝送路切替えを行うようにしたことを特徴とする光伝送システムの伝送路切替方法。
【請求項５】
前記受信端である光クロスコネクト装置は、現用系と予備系との間の伝送路切替え終了後に、前記現用系と予備系のうちの伝送路が切り換えられた側の隣接する第１の電気ノードに対し、前記制御ネットワークを介して送信再開要求を送信し、
前記送信再開要求を前記制御ネットワークを介して受信した前記第１の電気ノードは、光伝送路を介してデータトラフィックの送信元の電気ノードに対し、送信再開指示を送信し、その後前記受信端である光クロスコネクト装置に対し前記制御ネットワークを介して送信再開応答を送信し、
前記送信元の電気ノードは、前記光伝送路を介して送信再開指示を受信すると、データトラフィックの送信を再開するようにしたことを特徴とする請求項４に記載の光伝送システムの伝送路切替方法。
【請求項６】
前記受信端である光クロスコネクト装置は、伝送路切替えにかかる所要時間を示す伝送路切替所要時間を含む前記送信停止要求を前記現用系と予備系のうちの選択されている側の隣接する第１の電気ノードに対し送信し、
該第１の電気ノードは、予め記憶していた前記送信元の電気ノードにおけるデータトラフィックの送信を停止できる最大時間を、前記送信停止要求に含まれる伝送路切替所要時間と比較し、最大時間が伝送路切替所要時間よりも小さい場合は、前記送信停止応答に伝送路切替えを中止にさせる否定応答を含ませて送信するとともに、送信元の電気ノードに対する送信停止指示の送信を中止することを特徴とする請求項４または５に記載の光伝送システムの伝送路切替方法。
【請求項７】
前記受信端である光クロスコネクト装置は、伝送路切替えにかかる所要時間を示す伝送路切替所要時間を含む前記送信停止要求を前記現用系と予備系のうちの選択されている側の隣接する第１の電気ノードに対し送信し、
前記伝送路切替所要時間を含む送信停止要求を前記制御ネットワークを介して受信した前記第１の電気ノードは、光伝送路を介してデータトラフィックの送信元の電気ノードに対し、伝送路切替所要時間を含む送信停止指示を送信し、
前記送信元の電気ノードは、伝送路切替所要時間を含む送信停止指示を受信すると、データトラフィックの送信を停止できる最大時間を計算し、計算した最大時間を前記送信停止要求に含まれる伝送路切替所要時間と比較し、計算した最大時間が伝送路切替所要時間よりも小さい場合は、伝送路切替えを中止にさせる否定応答を含む信号を光伝送路を介して前記第１の電気ノードに返信し、
前記否定応答を含む信号を受信した第１の電気ノードは、前記送信停止応答に伝送路切替えを中止にさせる否定応答を含ませて送信することを特徴とする請求項４または５に記載の光伝送システムの伝送路切替方法。
【発明の詳細な説明】
【技術分野】
【０００１】
本発明は、光伝送路の現用系/予備系の切替えにおいて無瞬断切替えを実現する光伝送システムの伝送路切替方法に関するものである。
【背景技術】
【０００２】
ネットワーク上でやりとりされる情報の高速化・大容量化に伴い、コアネットワークでは中継ノードにおいて上位レイヤでの処理を省略し、光レイヤにおいてカットスルーする技術が検討されている。光クロスコネクトは、このような目的のために使用される中継装置である。光クロスコネクトは、装置内部において一度光信号を電気信号に変換するタイプのものと、電気的処理を介さずに光のまま光信号のスイッチイング処理を行うものの２種類に分類することができる。電気信号への変換を行わず、光のまま光信号のスイッチイング処理を行う全光クロスコネクトは、中継する光信号の速度や種別に依存しない、ビットレートフリーおよびプロトコルフリーという特長を持ち、さらに電気信号への変換を行わないことにより、低消費電力かつ低伝送遅延という特長を持つ。
【０００３】
伝送路の信頼性の向上、ノード障害やリンク障害への耐障害性の向上のため、光クロスコネクトにより構成されるネットワーク上の通信路は、複数の通信路により冗長化され、現用系光伝送路および予備系光伝送路との間で切替えを行う。現用系/予備系の切替えにおいて、伝送路を無瞬断で切替えを行う方法が提案されている(例えば、特許文献１)。特許文献１には、光パスクロスコネクト装置と電気クロスコネクト装置間を、現用系と予備系の複数の入出力インタフェースリンクで接続し、現用系及び予備系のインタフェースリンクを介して光パスクロスコネクト装置から電気クロスコネクト装置にそれぞれ現用系及び予備系の光信号を入力し、電気クロスコネクト装置で現用及び予備の無瞬断伝送路切り替えを行うことが示されている。
【０００４】
また、ＧＭＰＬＳ(Generalized Multi Protocol Label Switching)は、ＩＰネットワークで用いられる転送技術であるＭＰＬＳの概念を、光ファイバや波長、ＳＤＨ等様々なネットワークに適用できるよう拡張したプロトコルである。ＧＭＰＬＳの導入により、従来独立に管理されてきたＩＰ,ＡＴＭ,ＳＤＨ,ＷＤＭ等の異なるレイヤのネットワークを統一的に制御可能となる。ＧＭＰＬＳ対応のネットワークでは、ネットワーク内の機器間で制御メッセージをやり取りすることにより、自律分散的にネットワークの設定を変更することを可能とする(例えば、非特許文献１)。
【０００５】
【特許文献１】特許第３６３９３８３号
【非特許文献１】E.Mannie, "Generalized Multi-Protocol Label Switching (GMPLS) Architecture", RFC 3945, October 2004.
【発明の開示】
【発明が解決しようとする課題】
【０００６】
従来の光クロスコネクトでは、冗長化された光伝送路の現用系/予備系切替えにおいて、無瞬断切替えを実現するためには、光信号を電気信号に変換し電気的処理による切替え処理を行っているため、光クロスコネクトにおいて電気処理を必要とするという問題があった。さらに光信号の電気信号への変換のための電気的処理により、伝送するビットレートやプロトコルに制限を受けるという問題があった。また電気的処理により、消費電力や伝送遅延の増大を引き起こすという問題があった。
【０００７】
また、電気的処理を行わない全光クロスコネクトでは、自装置内において電気的処理を行わないため、冗長化された光伝送路の切替えであっても切替え時に瞬断が発生し、現用系/予備系切替え時に無瞬断切替えを実現するのが困難であるという問題があった。
【０００８】
この発明は上記に鑑みてなされたもので、全光クロスコネクトにより冗長化された光伝送路の現用系/予備系切替えにおいて、無瞬断切替えを実現する光伝送システムの伝送路切替方法を得ることを目的とする。
【課題を解決するための手段】
【０００９】
上述した課題を解決し、目的を達成するために、本発明は、現用系と予備系の切替えが可能なように冗長接続されるとともに光信号によるクロスコネクト機能を有する複数の光クロスコネクト装置により構成される全光ネットワークと、この全光ネットワークの外側で前記光クロスコネクト装置に光伝送路により接続されて電気終端機能を有する複数の電気ノードとを備え、これら光クロスコネクト装置および電気ノードが制御用リンクを介して制御ネットワークと接続されている光伝送システムにおいて、前記全光ネットワークにおけるデータトラフィックの受信端である光クロスコネクト装置は、前記データトラフィックの送信元の電気ノードに対し、前記制御ネットワークを介して送信停止要求を送信し、前記送信停止要求を前記制御ネットワークを介して受信した前記送信元の電気ノードがデータトラフィックの送信を停止するとともに、前記受信端である光クロスコネクト装置に対し前記制御ネットワークを介して送信停止応答を送信し、前記受信端である光クロスコネクト装置が、前記制御ネットワークを介した送信停止応答の受信に基づき、前記全光ネットワークにおける現用系と予備系との間の伝送路切替えを行うようにしたことを特徴とする。
【発明の効果】
【００１０】
以上説明したとおり、この発明によれば、光クロスコネクトと電気ノード間において、制御ネットワークを介したメッセージの送受信により、電気ノードからのデータトラフィックの送信の停止を制御するようにしたので、全光クロスコネクト間での光伝送路の現用系/予備系切替え時に無瞬断切替えが実現可能となる。
【発明を実施するための最良の形態】
【００１１】
以下に、本発明にかかる光伝送システムの実施の形態を図面に基づいて詳細に説明する。なお、この実施の形態によりこの発明が限定されるものではない。
【００１２】
実施の形態１．
図１は、実施の形態１におけるネットワークシステムの構成を示すものである。図１において、このネットワークシステムは、複数の光クロスコネクト（ノード）１〜５と、電気ノード６，７とを備え、これら各ノード１〜７間は、光伝送路リンク１１〜１７で接続されている。また、これら各ノード１〜７は、制御用リンク１０１〜１０７を介して、制御ネットワーク１００と接続されている。複数の光クロスコネクト１〜５は、光信号によるクロスコネクト機能を有するものであり、現用系と予備系の切替えが可能なように冗長接続た全光ネットワークを構成する。この場合、電気ノード６，７は、電気終端機能を有し、全光ネットワークの外側で光クロスコネクトに光伝送路により接続されている。
【００１３】
図２は、図１に示されたネットワークシステムにおける各ノード１〜５の構成を示すものである。例えば、ノード１は、光伝送路リンク２３，２４上にデータトラフィックを転送するデータ転送部２１と、制御用データの処理およびデータ転送部２１の制御を行う制御部２２とを含む。２３,２４はデータ転送部２１において中継される隣接ノードからのデータトラフィックを伝送するための光伝送路リンク、２５は制御部２２において処理される隣接ノードからの制御用データを伝送するための制御用リンクである。ノード２〜５もノード１と同様に構成される。ノード１〜５において、データ転送部２１は光スイッチにより構成され、光伝送路リンク２３の任意のポートより入力された光信号を光伝送路リンク２４の任意のポートより出力する機能を有する。
【００１４】
ノード６,７は電気ノードであり、その基本的構成は図２に示したものと同じである。ただし、ノード６,７において、データ転送部２１は電気的処理機能を含み、光伝送路リンク２３からの入力光信号を電気信号に変換し電気的処理による中継処理後、電気信号を光信号に変換し光伝送路リンク２４へと出力する機能を有する。なお、この場合は、電気ノード６，７に電気クロスコネクト機能を持たせるようにしたが、電気ノード６，７としては、電気終端機能を有するものであれば、ルータ、ＷＤＭ装置などの任意の装置であってよい。
【００１５】
次に動作について説明する。電気ノード６,７間に光クロスコネクト１,２,３,４,５により光伝送路が設定されているものとする。このとき電気ノード６,７にそれぞれ接続された光クロスコネクト１,３間において光伝送路が冗長化され、現用系の光伝送路は電気ノード６、光伝送路リンク１６、光クロスコネクト１、光伝送路リンク１１、光クロスコネクト２、光伝送路リンク１２、光クロスコネクト３、光伝送路リンク１７、電気ノード７という経路により設定され、予備系の光伝送路は電気ノード６、光伝送路リンク１６、光クロスコネクト１、光伝送路リンク１３、光クロスコネクト４、光伝送路リンク１４、光クロスコネクト５、光伝送路リンク１５、光クロスコネクト３、光伝送路リンク１７、電気ノード７という経路により設定されるとする。ただし電気ノード６,７間でエンド−エンドにデータトラフィックが伝送されるのは、切替え前は現用系光伝送路の経路であり、切替え後は予備系光伝送路の経路となり、両方の経路に同時にエンド−エンドにデータトラフィックが伝送されることはないものとする。
【００１６】
この状態において、光クロスコネクト１,３間において冗長化された電気ノード６,７間の光伝送路を現用系から予備系への切替えを行う場合を考える。電気ノード６,７間の光伝送路のうち、電気ノード６から電気ノード７の方向のデータトラフィックのための光伝送路の切替えのため、電気ノード６および光クロスコネクト１間において、図３に示す手順により現用系/予備系切替えを実施する。
【００１７】
光クロスコネクト１〜５によって構成される全光ネットワークにおけるデータトラフィックの受信端である光クロスコネクト１の制御部２２は、制御用リンク１０１より送信停止要求メッセージ３１を、データトラフィックの送信元の電気ノードである電気ノード６に対し送信する。送信された送信停止要求メッセージ３１は、制御ネットワーク１００により中継され、制御用リンク１０６より電気ノード６の制御部２２が受信する。送信停止要求メッセージ３１を受信した電気ノード６の制御部２２は、自身のデータ転送部２１において該当するデータトラフィックの送信を停止する（３２）とともに、送信を再開するまでの間、送信すべきデータトラフィックのバッファリングを行う。データトラフィックの送信停止後、電気ノード６の制御部２２は、制御用リンク１０６より送信停止応答メッセージ３３を、光クロスコネクト１に対し送信する。送信された送信停止応答メッセージ３３は、制御ネットワーク１００により中継され、制御用リンク１０１より光クロスコネクト１の制御部２２が受信する。
【００１８】
送信停止応答メッセージ３３を受信した光クロスコネクト１の制御部２２は、他の光クロスコネクトと連携し、光クロスコネクト１,３間において、現用系光伝送路である光クロスコネクト１、光伝送路リンク１１、光クロスコネクト２、光伝送路リンク１２、光クロスコネクト３の経路を、予備系光伝送路である光クロスコネクト１、光伝送路リンク１３、光クロスコネクト４、光伝送路リンク１４、光クロスコネクト５、光伝送路リンク１５、光クロスコネクト３の経路へと切替える（３４）。このときの切替え処理のための制御手法は問わないものとする。
【００１９】
光クロスコネクト１,３間における光伝送路の切替え完了後、光クロスコネクト１の制御部２２は、制御用リンク１０１より送信再開要求メッセージ３５を、電気ノード６に対し送信する。送信された送信再開要求メッセージ３５は、制御ネットワーク１００により中継され、制御用リンク１０６より電気ノード６の制御部２２が受信する。送信再開要求メッセージ３５を受信した電気ノード６の制御部２２は、自身のデータ転送部２１において該当するデータトラフィックの送信を再開する（３６）。データトラフィックの送信再開後、電気ノード６の制御部２２は、制御用リンク１０６より送信再開応答メッセージ３７を、光クロスコネクト１に対し送信する。送信された送信再開応答メッセージ３７は、制御ネットワーク１００により中継され、制御用リンク１０１より光クロスコネクト１の制御部２２が受信する。
【００２０】
制御ネットワーク１００を介した、隣接ノード間における制御メッセージのやり取りのためには、例えばＲＳＶＰやＣＲ−ＬＤＰ等のＧＭＰＬＳにおけるシグナリングプロトコルや、ＬＭＰ等のリンク管理プロトコルに拡張を施したものが考えられる。光伝送路が双方向の場合、上記の手順を光クロスコネクト３および電気ノード７との間で実施すればよい。
【００２１】
以上のように、実施の形態１においては、光クロスコネクトと電気ノード間において、制御ネットワークを介したメッセージの送受信により、電気ノードからのデータトラフィックの送信の停止・再開を制御し、その間電気ノードにおいてデータトラフィックのバッファリングを行うことで、全光クロスコネクト間での光伝送路の現用系/予備系切替え時に無瞬断切替えが実現可能となる。
【００２２】
なお、上記の場合は、制御ネットワーク１００を介して制御メッセージを隣接ノード間において交換する方法を示したが、光クロスコネクトにおける光伝送路の切替え処理時に、制御メッセージにより、データトラフィックの送信元である電気ノードからのデータトラフィックの送信停止・再開を制御可能であればよく、必ずしも隣接ノード間における制御である必要はない。
【００２３】
実施の形態２．
図４は、実施形態２におけるネットワークシステムの構成を示すものである。図４において、このネットワークシステムは、複数の光クロスコネクト（ノード）４１〜４５と、電気ノード４６，４７とを備え、これら各ノード４１〜４７間は、光伝送路リンク４１１〜４１７で接続されている。光伝送路リンク４１１,４１２,４１３,４１４,４１５上には、波長分割多重装置（ＷＤＭ装置）の機能を有するＷＤＭノード４０１〜４１０が設けられている。また、これら各ノード４１〜４７，４０１〜４１０は、制御用リンク４２１〜４４０を介して、制御ネットワーク４００と接続されている。実施形態２におけるネットワークシステムにおける各ノード４１〜４７，４０１〜４１０の構成は、実施の形態１と同様である。
【００２４】
この実施の形態２は、光伝送路上のデータトラフィックの送信元である電気ノード４６が制御ネットワーク４００を介した制御メッセージによる制御に対応していない場合を想定している。
【００２５】
次に動作について説明する。電気ノード４６,４７間に光クロスコネクト４１〜４５およびＷＤＭノード４０１〜４１０により光伝送路が設定されているものとする。このとき電気ノード４６,４７にそれぞれ接続された光クロスコネクト４１,４３間において光伝送路が冗長化され、現用系の光伝送路は、電気ノード４６、光伝送路リンク４１６、光クロスコネクト４１、ＷＤＭノード４０１、光伝送路リンク４１１、ＷＤＭノード４０３、光クロスコネクト４２、ＷＤＭノード４０４、光伝送路リンク４１２、ＷＤＭノード４０５、光クロスコネクト４３、光伝送路リンク４１７、電気ノード４７という経路により設定され、予備系の光伝送路は電気ノード４６、光伝送路リンク４１６、光クロスコネクト４１、ＷＤＭノード４０２、光伝送路リンク４１３、ＷＤＭノード４０７、光クロスコネクト４４、ＷＤＭノード４０８、光伝送路リンク４１４、ＷＤＭノード４０９、光クロスコネクト４５、ＷＤＭノード４１０、光伝送路リンク４１５、ＷＤＭノード４０６、光クロスコネクト４３、光伝送路リンク４１７、電気ノード４７という経路により設定されるとする。ただし電気ノード４６,４７間でエンド−エンドにデータトラフィックが伝送されるのは、切替え前は現用系光伝送路の経路であり、切替え後は予備系光伝送路の経路となり、両方の経路に同時にエンド−エンドにデータトラフィックが伝送されることはないものとする。
【００２６】
この状態において、光クロスコネクト４１,４３間において冗長化された電気ノード４６,４７間の光伝送路を現用系から予備系への切替えを行う場合を考える。電気ノード４６,４７間の光伝送路のうち、電気ノード４６から電気ノード４７の方向のデータトラフィックのための光伝送路の切替えであるので、電気ノード４６、光クロスコネクト４１、ＷＤＭノード４０１およびＷＤＭノード４０２間において、図５に示す手順により現用系/予備系切替えを実施する。
【００２７】
光クロスコネクト１〜５およびＷＤＭノード４０１〜４１０によって構成される全光ネットワークにおけるデータトラフィックの受信端である光クロスコネクト４１の制御部２２は、制御用リンク４２１より送信停止要求メッセージ５１を、現用系光伝送路の経路上で隣接するＷＤＭノードであるＷＤＭノード４０１に対し送信する。送信された送信停止要求メッセージ５１は、制御ネットワーク４００により中継され、制御用リンク４３１よりＷＤＭノード４０１の制御部２２が受信する。送信停止要求メッセージ５１を受信したＷＤＭノード４０１の制御部２２は、データトラフィックの送信元の電気ノードである電気ノード４６が該当するデータトラフィックの送信を停止するよう、自身のデータ転送部２１より光伝送路リンク上に制御フレームを電気ノード４６に対して送信する（５２）。この制御フレームとしては、例えばイーサネット（登録商標）のポーズ（pause）フレーム等が考えられる。
【００２８】
送信された送信停止のための制御フレームは、光クロスコネクト４１のデータ転送部２１により中継され、電気ノード４６のデータ転送部２１により受信される。データ転送部２１において、送信停止の制御フレームを受信した電気ノード４６は、データトラフィックの送信を停止する（５３）とともに、送信を再開するまでの間、送信すべきデータトラフィックのバッファリングを行う。
【００２９】
データトラフィックの送信停止後、ＷＤＭノード４０１の制御部２２は、制御用リンク４３１より送信停止応答メッセージ５４を、光クロスコネクト４１に対し送信する。送信された送信停止応答メッセージ５４は、制御ネットワーク４００により中継され、制御用リンク４２１より光クロスコネクト４１の制御部２２が受信する。送信停止応答メッセージ５４を受信した光クロスコネクト４１は、他の光クロスコネクトと連携し、光クロスコネクト４１,４３間において、現用系光伝送路である光クロスコネクト４１、光伝送路リンク４１１、光クロスコネクト４２、光伝送路リンク４１２、光クロスコネクト４３の経路を、予備系光伝送路である光クロスコネクト４１、光伝送路リンク４１３、光クロスコネクト４４、光伝送路リンク４１４、光クロスコネクト４５、光伝送路リンク４１５、光クロスコネクト４３の経路へと切替える（５５）。この際の切替え処理のための制御手法は問わないものとする。
【００３０】
光クロスコネクト４１,４３間における光伝送路の切替え完了後、光クロスコネクト４１の制御部２２は、制御用リンク４２１より送信再開要求メッセージ５６を、予備系光伝送路の経路上で隣接するＷＤＭノードであるＷＤＭノード４０２に対し送信する。送信された送信再開要求メッセージ５６は、制御ネットワーク４００により中継され、制御用リンク４３２よりＷＤＭノード４０２の制御部２２が受信する。
【００３１】
送信再開要求メッセージ５６を受信したＷＤＭノード４０２の制御部２２は、電気ノード４６が該当するデータトラフィックの送信を再開させるための制御フレームを、自身のデータ転送部２１より光伝送路リンク上に電気ノード４６に対して送信する（５７）。送信された送信再開のための制御フレームは、光クロスコネクト４１のデータ転送部２１により中継され、電気ノード４６のデータ転送部２１により受信される。データ転送部２１において、送信再開の制御フレームを受信した電気ノード４６は、データトラフィックの送信を再開する（５８）。データトラフィックの送信再開後、ＷＤＭノード４０２の制御部２２は、制御用リンク４３２より送信再開応答メッセージ５９を、光クロスコネクト４１に対し送信する。送信された送信再開応答メッセージ５９は、制御ネットワーク４００により中継され、制御用リンク４２１より光クロスコネクト４１の制御部２２が受信する。
【００３２】
制御ネットワーク４００を介した、隣接ノード間における制御メッセージのやり取りのためには、例えばＲＳＶＰやＣＲ−ＬＤＰ等のＧＭＰＬＳにおけるシグナリングプロトコルや、ＬＭＰ等のリンク管理プロトコルに拡張を施したものが考えられる。光伝送路が双方向の場合、上記の手順を光クロスコネクト４３および電気ノード４７との間で実施すればよい。
【００３３】
以上のように、実施の形態２によれば、光クロスコネクトとＷＤＭノード間において、制御ネットワークを介してメッセージを交換し、ＷＤＭノードが光伝送路上の制御フレームによって電気ノードの送信動作の停止・再開を制御し、その間電気ノードにおいてデータトラフィックのバッファリングを行うようにしているので、光伝送路上のデータトラフィックの送信元である電気ノードが制御ネットワークを介した制御メッセージによる制御に対応していない場合にも、全光クロスコネクト間での光伝送路の現用系/予備系切替え時に無瞬断切替えが実現可能となる。
【００３４】
なお、上記では、光クロスコネクトに隣接し、電気ノードからのデータトラフィックの送信停止・再開のための制御フレームを送信する装置をＷＤＭノードとしたが、制御メッセージにより光伝送路上での制御フレームの制御を行える電気ノードなら他の装置であっても良く、ＷＤＭノードに限定するものではない。また、上記の場合は、制御ネットワーク４００を介して制御メッセージを隣接ノード間において交換する方法を示したが、光クロスコネクトにおける光伝送路の切替え処理時に、制御メッセージにより、データトラフィックの送信元である電気ノードからのデータトラフィックの送信停止・再開を制御可能であればよく、必ずしも隣接ノード間における制御である必要はない。
【００３５】
実施の形態３．
実施の形態３におけるネットワーク構成は実施の形態１と同様であるとする。次に動作について説明する。光伝送路の切替え処理における手順は、実施の形態１と同様である。
【００３６】
光クロスコネクト１の制御部２２より、電気ノード６に対し送信停止要求メッセージ３１を送信する際、このメッセージ３１中に光伝送路の切替え処理に必要な時間である伝送路切替所要時間ｔａを含ませる。この伝送路切替所要時間を含む送信停止要求メッセージ３１を受信した電気ノード６の制御部２２は、使用可能な送信バッファ容量等から自身のデータ転送部２１において該当するデータトラフィックの送信を停止できる最大時間Ｔmaxを算出する。
【００３７】
そして、電気ノード６の制御部２２は、算出した停止可能最大時間Ｔmaxを伝送路切替所要時間ｔａと比較し、停止可能最大時間Ｔmaxが送信停止要求メッセージ３１により通知された伝送路切替所要時間ｔａより短い場合には、送信停止応答メッセージ３３に伝送路切替えを中止させる否定応答の情報を格納し、光クロスコネクト１に対し送信する。送信停止応答メッセージ３３において否定応答を受信した光クロスコネクト１は、否定応答より無瞬断切替えの実施不可を識別し、光伝送路の切替え処理を中止する。
【００３８】
このように実施の形態３においては、電気ノード６は、光クロスコネクト１側から制御メッセージにより通知された伝送路切替所要時間ｔａをデータトラフィックの送信を停止できる最大時間Ｔmaxと比較することによって、光伝送路の無瞬断切替えの実施の可否を判定するようにしているので、光伝送路の無瞬断切替えを実現できない場合にその処理を中止することが実現可能となる。
【００３９】
なお、上記の説明では、光伝送路の切替を中止させる機能を実施の形態１に適用した場合を示したが、同様に光伝送路の切替を中止させる機能を実施の形態２に対しても適用可能である。
【００４０】
第１の手法
第１の手法では、光クロスコネクト４１の制御部２２より、ＷＤＭノード４０１に対し送信停止要求メッセージ５１を送信する際、このメッセージ５１中に光伝送路の切替え処理に必要な時間である伝送路切替所要時間ｔａを含ませる。ＷＤＭノード４０１には、データトラフィックの送信元の各電気ノードについてのデータトラフィックの送信を停止できる最大時間Ｔmaxが予め適宜の手法で通知されており、ＷＤＭノード４０１はこれらの時間Ｔmaxを各電気ノード別に記憶している。ＷＤＭノード４０１は、受信した送信停止要求に含まれる伝送路切替所要時間ｔａを、予め記憶していた送信元の電気ノード４６におけるデータトラフィックの送信を停止できる最大時間Ｔmaxと比較し、最大時間Ｔmaxが伝送路切替所要時間ｔａよりも小さい場合は、電気ノード４６に対する送信停止指示５２の送信を行わず、また光クロスコネクト４１に対して送信する送信停止応答５４に伝送路切替えを中止にさせる否定応答を含ませて送信する。送信停止応答メッセージ５４において否定応答を受信した光クロスコネクト４１は、否定応答より無瞬断切替えの実施不可を識別し、光伝送路の切替え処理を中止する。
【００４１】
第２の手法
第２の手法では、光クロスコネクト４１の制御部２２より、ＷＤＭノード４０１に対し送信停止要求メッセージ５１を送信する際、このメッセージ５１中に光伝送路の切替え処理に必要な時間である伝送路切替所要時間ｔａを含ませる。ＷＤＭノード４０１は、伝送路切替所要時間ｔａを含む送信停止要求メッセージ５１を受信すると、電気ノード４６に送信する送信停止指示５２にこの伝送路切替所要時間ｔａを含ませる。この伝送路切替所要時間ｔａを含む送信停止指示５２を受信した電気ノード４６は、前述と同様にしてデータトラフィックの送信を停止できる最大時間Ｔmaxを計算し、計算した最大時間Ｔmaxを送信停止要求に含まれる伝送路切替所要時間ｔａと比較し、計算した最大時間Ｔmaxが伝送路切替所要時間ｔａよりも小さい場合は、伝送路切替えを中止にさせる否定応答を含む所定の信号を光伝送路を介してＷＤＭノード４０１に返信する。この否定応答を含む信号を受信したＷＤＭノード４０１は、光クロスコネクト４１送信すべき送信停止応答メッセージ５４に伝送路切替えを中止にさせる否定応答を含ませて送信する。送信停止応答メッセージ５４において否定応答を受信した光クロスコネクト４１は、否定応答より無瞬断切替えの実施不可を識別し、光伝送路の切替え処理を中止する。
【産業上の利用可能性】
【００４２】
以上のように、本発明にかかる光伝送システムの伝送路切替方法は、全光クロスコネクトにより冗長化された光伝送路の現用系/予備系切替えに有用である。
【図面の簡単な説明】
【００４３】
【図１】この発明の実施の形態１を適用するネットワーク構成を示す図である。
【図２】実施の形態１に用いられる光クロスコネクトの内部構成を示すブロック図である。
【図３】実施の形態１の伝送路切替のための手順を示すシーケンス図である。
【図４】この発明の実施の形態２を適用するネットワーク構成を示す図である。
【図５】実施の形態２の伝送路切替のための手順を示すシーケンス図である。
【符号の説明】
【００４４】
１〜５  光クロスコネクト（光クロスコネクト装置、ノード）
６，７  電気ノード
１１〜１７  光伝送路リンク
２１  データ転送部
２２  制御部
２３，２４  光伝送路リンク
３１  送信停止要求メッセージ
３３  送信停止応答メッセージ
３５  送信再開要求メッセージ
３７  送信再開応答メッセージ
４１〜４５  光クロスコネクト（光クロスコネクト装置、ノード）
４６，４７  電気ノード
５１  送信停止要求メッセージ
５２  送信停止指示
５４  送信停止応答メッセージ
５６  送信再開要求メッセージ
５９  送信再開応答メッセージ
１００  制御ネットワーク
１０１〜１０７  制御用リンク
４００  制御ネットワーク
４０１〜４１０  ＷＤＭノード
４１１〜４１７  光伝送路リンク
４２１〜４４０  制御用リンク
【図１】
2007251256.tif 000003
【図２】
2007251256.tif 000004
【図３】
2007251256.tif 000005
【図４】
2007251256.tif 000006
【図５】
2007251256.tif 000007